(57)【要約】【課題】別工程で作成されたシート同士を積層した際に位置ずれを生じた場合であっても、これらのシートに含まれる貫通孔に、これらのシートを機器に位置決めする位置決め部材を円滑に挿入させることができる。【解決手段】積層される複数のシートのうちの所定の第１シート、例えば絶縁性シート１に、電子機器への取り付け用の位置決め部材が挿通可能な貫通孔１ｂ，１ｃを設け、積層される複数のシートのうちの絶縁性シート１とは異なる他の積層シート、例えばＥＬシート２の絶縁性シート１の貫通孔１ｂ，１ｃにそれぞれ対応する部分に、これらの貫通孔１ｂ，１ｃよりも大きく形成された逃げ部２ｃ，２ｄを設けた。【選択図】図１
2007109552.tif 000002
【特許請求の範囲】
【請求項１】
板ばねを保持するシートを含んで複数のシートを積層して成る板ばね付きシートであって、
上記積層される複数のシートのうちの所定の第１シートに、機器への取り付け用の位置決め部材が挿通可能な貫通孔を設け、
上記積層される複数のシートのうちの上記第１シートとは異なる他の積層シートの上記第１シートの上記貫通孔に対応する部分に、この貫通孔よりも大きく形成された逃げ部を設けたことを特徴とする板ばね付きシート。
【請求項２】
上記請求項１記載の発明において、
上記第１シートと上記他の積層シートとを互いに位置決めする位置決め孔を設けたことを特徴とする板ばね付きシート。
【請求項３】
上記請求項１記載の発明において、
上記第１シート及び上記他の積層シートへの上記位置決め部材の挿入に際し、上記位置決め部材が、はじめに上記第１シートの上記貫通孔に挿入され、次に上記他の積層シートの上記逃げ部に挿入されるように、これらの第１シートと上記他の積層シートとを積層したことを特徴とする板ばね付きシート。
【請求項４】
上記請求項１記載の発明において、
上記第１シートに剥離可能に積層される剥離シートを備え、この剥離シートに、上記第１シートの上記貫通孔を形成するために活用される基準部を設けたことを特徴とする板ばね付きシート。
【請求項５】
上記請求項１記載の発明において、
上記第１シートに、上記板ばねを収容可能な板ばね収容部を形成するとともに、上記他の積層シートが、特定の機能を保持する機能性シートから成ることを特徴とする板ばね付きシート。
【請求項６】
スイッチ基板に、上記請求項１〜５のいずれか１項記載の板ばね付きシートを積層し、上記スイッチ基板に形成されるスイッチ部に上記板ばね付きシートの上記板ばねを配置させるようにして、これらのスイッチ基板と板ばね付きシートとを一体化したことを特徴とする入力装置。
【発明の詳細な説明】
【技術分野】
【０００１】
本発明は、板ばねを保持するシートを含んで複数のシートを積層して成る板ばね付きシート、及びこの板ばね付きシートが備えられた入力装置に関する。
【背景技術】
【０００２】
この種の従来技術として、特許文献１に示されるものがある。この従来技術における板ばね付きシートは、金属製のドーム状の板ばね、すなわち可動接点を保持する接点付きシートであり、下面に接着剤が塗布され、上述の可動接点を保持する絶縁フィルム製のシートと、このシートの下面に接着され、上述の可動接点が収容される複数の収納孔、すなわち接点収容部を有するシートとを積層した構成になっている。また、接点収容部に連結された連結溝、すなわち空気移動を可能にさせる空気溝を備えている。
【０００３】
さらに、可動接点を保持するシートと、接点収容部を有するシートのそれぞれにはスイッチ基板や筐体等の電子機器に取り付ける際の位置決め部材が挿入される貫通孔がそれぞれ形成されており、これらの貫通孔は同一径に設定されている。
【０００４】
また、上述した接点付きシートが備えられる従来技術におけるシートスイッチ、すなわち入力装置は、固定接点を有する回路基板を備え、この回路基板上に接点付きシートが、その可動接点が回路基板の固定接点に対向するように配置されて積層され、一体化された構成となっている。
【特許文献１】特開２００１−１４９７３公報
【発明の開示】
【発明が解決しようとする課題】
【０００５】
ところで上述のような接点付きシートを構成する可動接点を保持するシートと、接点収容部を有するシートとを別工程で作成し、これらを互いに積層する場合、シート同士の位置ずれを生じることがある。
【０００６】
このように積層される複数のシート同士の位置ずれを生じると、形成される貫通孔が同一径に設定されていることから、一方のシートの貫通孔内に他方のシートの一部が入り込むことが起こり得る。このために、接点付きシートをスイッチ基板や筐体等の電子機器に取り付ける際に、シートそれぞれの貫通孔へ位置決め部材を円滑に挿入させることが難しくなり、接点付きシートを電子機器に取り付ける際の位置決め作業の作業性が劣化しやすい。また、位置決め部材をシートそれぞれの貫通孔に挿入する際に、貫通孔が変形してシートを動かす力を生じさせてしまいやすく、これにより接点付きシートの位置決め精度が低下しやすい。
【０００７】
本発明は、上述した従来技術における実状からなされたもので、その目的は、別工程で作成されたシート同士を積層した際に位置ずれを生じた場合であっても、これらのシートに含まれる貫通孔に、これらのシートを機器に位置決めする位置決め部材を円滑に挿入させることができる板ばね付きシート、及び入力装置を提供することにある。
【課題を解決するための手段】
【０００８】
この目的を達成するために、本発明の板ばね付きシートは、板ばねを保持するシートを含んで複数のシートを積層して成る板ばね付きシートであって、上記積層される複数のシートのうちの所定の第１シートに、機器への取り付け用の位置決め部材が挿通可能な貫通孔を設け、上記積層される複数のシートのうちの上記第１シートとは異なる他の積層シートの上記第１シートの上記貫通孔に対応する部分に、この貫通孔よりも大きく形成された逃げ部を設けたことを特徴としている。
【０００９】
このように構成した本発明の板ばね付きシートは、別工程で作成された第１シートと、他の積層シートとを積層した際に互いの間に位置ずれを生じた場合に、第１シートの貫通孔は、上述の位置ずれに応じて、貫通孔よりも大きく形成された他の積層シートの逃げ部内においてその位置を変化させる。したがって、第１シートの貫通孔内に他の積層シートの一部が入り込む事態を防ぐことができる。これにより、これらのシートを機器に位置決めする位置決め部材を、第１シートの貫通孔及び他の積層シートの逃げ部に円滑に挿入させることができる。また、第１シートの貫通孔を変形させることなくこの貫通孔に位置決め部材を挿入させることができるので、位置決め部材を貫通孔に挿入する際に第１シート及び他の積層シートを動かす力を生じさせることがない。
【００１０】
また、本発明の板ばね付きシートは、上記発明において、上記第１シートと上記他の積層シートとを互いに位置決めする位置決め孔を設けたことを特徴としている。
【００１１】
このように構成した本発明の板ばね付きシートは、第１シートと他の積層シートとを積層する際に、位置決め孔を介して第１シートと他の積層シートとを互いに位置決めして積層させることができるので、これらのシートの積層時の位置ずれを小さくすることができる。
【００１２】
また、本発明の板ばね付きシートは、上記発明において、上記第１シート及び上記他の積層シートへの上記位置決め部材の挿入に際し、上記位置決め部材が、はじめに上記第１シートの上記貫通孔に挿入され、次に上記他の積層シートの上記逃げ部に挿入されるように、これらの第１シートと上記他の積層シートとを積層したことを特徴としている。
【００１３】
このように構成した本発明の板ばね付きシートは、位置決め部材が第１シートの貫通孔及び他の積層シートの逃げ部に挿入される際に、他の積層シートの逃げ部よりも小さく形成された第１シートの貫通孔によって位置決め部材がガイドされるので、位置決め部材によって他の積層シートがめくれ上がることがない。
【００１４】
また、本発明の板ばね付きシートは、上記発明において、上記第１シートに剥離可能に積層される剥離シートを備え、この剥離シートに、上記第１シートの上記貫通孔を形成するために活用される基準部を設けたことを特徴としている。
【００１５】
このように構成した本発明の板ばね付きシートは、機器への実装に際しては、剥離シートを剥がすことにより、第１シートが露出し、この板ばね付きシートを機器に簡単に取り付けることができる。また、剥離シートの基準部を介して位置決め部材が挿入される第１シートの貫通孔を形成できるので、剥離シートと第１シートとを接着させた状態で、剥離シートの基準部を介して貫通孔を形成すれば精度の高い貫通孔を第１シートに設けることができ、この剥離シートを、機器に対するこの板ばね付きシートの位置決めのために有効に活用することができる。
【００１６】
また、本発明の板ばね付きシートは、上記発明において、上記第１シートに、上記板ばねを収容可能な板ばね収容部を形成するとともに、上記他の積層シートが、特定の機能を保持する機能性シートから成ることを特徴としている。
【００１７】
このように構成した本発明の板ばね付きシートは、機能性シートによって、例えば表示機能、照光機能、電磁波吸収機能等の特有の機能を確保できる。
【００１８】
また、上記目的を達成するために、本発明の入力装置は、スイッチ基板に、上記請求項１〜５のいずれか１項記載の板ばね付きシートを積層し、上記スイッチ基板に形成されるスイッチ部に上記板ばね付きシートの上記板ばねを配置させるようにして、これらのスイッチ基板と板ばね付きシートとを一体化したことを特徴としている。
【００１９】
このように構成した本発明の入力装置は、スイッチ基板に積層される板ばね付きシートに含まれる他の積層シートに、第１シートに設けられた貫通孔よりも大きく形成された逃げ部を設けたことから、板ばね付きシートをスイッチ基板に積層する際に、第１シートと板ばね付きシートとの間に加工に伴って位置ずれを生じていたとしても、第１シートの貫通孔を板ばね付きシートの逃げ部内に位置させておくことができる。これによって、位置決め部材を第１シートの貫通孔及び他の積層シートの逃げ部に円滑に挿入させることができる。また、第１シートの貫通孔を変形させることなくこの貫通孔に位置決め部材を挿入させることができるので、位置決め部材を貫通孔に挿入する際に第１シート及び他の積層シートを動かす力を生じさせることがない。
【発明の効果】
【００２０】
本発明の板ばね付きシート、及び入力装置は、別工程で作成されたシート同士を積層した際に位置ずれを生じた場合であっても、第１シートの貫通孔及び他の積層シートの逃げ部に、これらのシートを機器に位置決めする位置決め部材を円滑に挿入させることができる。これによって、板ばね付きシートを機器に取り付ける際の位置決め作業の作業性を従来に比べて向上させることができる。また、第１シートの貫通孔を変形させることなくこの貫通孔に位置決め部材を挿入させることができるので、位置決め部材を貫通孔に挿入する際に第１シート及び他の積層シートを動かす力を生じさせることがなく、これにより、従来よりも板ばね付きシートの機器に対する高い位置決め精度を確保できる。
【発明を実施するための最良の形態】
【００２１】
以下，本発明に係る板ばね付きシート、及び入力装置を実施するための最良の形態を図に基づいて説明する。
【００２２】
［板ばね付きシートの一実施形態の構成］
図１〜６は本発明に係る板ばねシートの一実施形態を説明する図で、図１は平面図、図２は図１のＡ−Ａ断面拡大図である。図３，４は本発明に係る板ばね付きシートの一実施形態を構成する微粘着シートとＥＬシートと絶縁性シートとを積層して一体化させた状態を示す図で、図３は平面図、図４は裏面図である。図５は本発明に係る板ばね付きシートの一実施形態を構成する微粘着シートとＥＬシートとを積層して一体化させた状態を示す平面図、図６は本発明に係る板ばね付きシートの一実施形態を構成する絶縁性シートを示す平面図である。
【００２３】
本実施形態の板ばね付きシートは、例えば接点付きシートから成っている。この接点付きシートは、図１，２に示すように、金属製のドーム状の板ばね、すなわち可動接点６が収容される板ばね収容部を形成する接点収容部１ａを有する第１シート、例えば絶縁性シート１を備えている。この絶縁性シート１は、他の積層シート、すなわち特定の機能を保持する機能性シート、例えば照光機能を有するＥＬ（エレクトロルミネッセンス）素子から成るＥＬシート２の下面に接着されている。
【００２４】
ＥＬシート２は、図３にも示すように、複数の可動接点６のそれぞれに対応する位置に照光部２ａが形成され、一方の端部に入力部２ｂが形成されている。
【００２５】
また、このＥＬシート２に積層される上述した絶縁性シート１は、図４，６にも示すように、複数の可動接点６のそれぞれが収容される上述の接点収容部１ａの他に、これらの接点収容部１ａと連通し、絶縁性シート１内での空気移動を可能にする空気溝１ｄを有する。この絶縁性シート１には、スイッチ基板や筐体等の電子機器への取り付け用の位置決め部材が挿通可能な貫通孔１ｂ，１ｃも形成されている。
【００２６】
上述したＥＬシート２の上面には、搬送時等に接着される微粘着シート３が設けられている。この微粘着シート３も上述した絶縁シート１とは異なる他の積層シートを構成している。
【００２７】
そして本実施形態は特に、図１，３，５に示すように、他の積層シートを構成するＥＬシート２の絶縁性シート１の貫通孔１ｂ，１ｃのそれぞれに対応する部分に、これらの貫通孔１ｂ，１ｃよりも大きく形成された貫通孔から成る逃げ部２ｃ，２ｄを設けてある。
【００２８】
また、他の積層シートを構成する微粘着シート３には、図１，３，５に示すように、絶縁性シート１と、他の積層シートを構成するＥＬシート２とを互いに位置決めする位置決め孔３ａ，３ｂを形成してある。
【００２９】
また、絶縁シート１の貫通孔１ｂ，１ｃ、及び他の積層シートを構成するＥＬシート２の逃げ部２ｃ，２ｄへの位置決め部材の挿入に際し、位置決め部材が、はじめに絶縁性シート１の貫通孔１ｂ，１ｃに挿入され、次にＥＬシート２の逃げ部２ｃ，２ｄのそれぞれに挿入されるように、図２に示すように、絶縁性シート１を下段に、ＥＬシート２を上段に配置して積層してある。
【００３０】
さらに本実施形態は、絶縁性シート１の下面に、この絶縁性シート１に対して剥離可能に積層される剥離シート４を備え、この剥離シート４には、図示省略するが絶縁性シート１の貫通孔１ｂ，１ｃを形成するために活用される基準部を設けてある。この基準部は、例えば上述した微粘着シート３の位置決め孔３ａ，３ｂと同じ形状寸法に形成され、絶縁性シート１とＥＬシート２とを互いに位置決めする位置決め孔を兼ねている。
【００３１】
なお例えば、上述した絶縁性シート１と剥離シート４とは、絶縁性シート１の下面に剥離シート４が接着された状態で打ち抜かれ、絶縁性シート１に接点収容部１ａと空気溝１ｄとが形成される。このとき同時に、図２に示すように、剥離シート４にも絶縁性シート１の接点収容部１ａ及び貫通孔１ｂ等と同一形状寸法の貫通孔４ａ，４ｂ等が形成される。
【００３２】
［接点付きシートの作成工程］
上述した絶縁性シート１とＥＬシート２は、例えば別工程で作成される。すなわち、１つの工程では、複数の照光部２ａ及び入力部２ｂを有するように形成されたＥＬシート２を作成し、例えばこのＥＬシート２の上面に微粘着シート３を接着する。また、他の工程では、絶縁性シート１に剥離シート４を接着し、これらの絶縁性シート１と剥離シート４とを一緒に打ち抜いて、絶縁性シート１に接点収容部１ａと空気溝１ｄとを形成する。
【００３３】
そして例えば、剥離シート４が接着された絶縁性シート１上に、微粘着シート３が接着されたＥＬシート２を配置し、この状態において微粘着シート３と剥離シート４とを一緒に打ち抜いて図１，３に示すように、微粘着シート３に位置決め孔３ａ，３ｂを形成し、剥離シート４にも位置決め孔３ａ，３ｂと同一形状寸法の図示しない位置決め孔を形成する。
【００３４】
この状態から例えば、剥離シート４が接着された絶縁性シート１と、微粘着シート３が接着されたＥＬシート２とを互いに分離する。
【００３５】
次に、剥離シート４の上述した図示しない位置決め孔を基準にして、絶縁性シート１に、位置決め部材が挿入される貫通孔１ｂ，１ｃを打ち抜き、微粘着シート３の上述した位置決め孔３ａ，３ｂを基準にして、ＥＬシート２に貫通孔から成る逃げ部２ｃ，２ｄを打ち抜く。
【００３６】
最後に、微粘着シート３が接着されたＥＬシート２を、その下面に複数の可動接点６を保持させた状態で、剥離シート４が接着された絶縁性シート１上に位置させ、微粘着シート３の位置決め孔３ａ，３ｂと剥離シート４の図示しない位置決め孔とを一致させるようにして積層する。
【００３７】
このようにして、ＥＬシート２に保持させた可動接点６のそれぞれが、絶縁性シート１の接点収容部１ａのそれぞれ対応するものに収容され、絶縁性シート１の貫通孔１ｂ，１ｃのそれぞれに対応するようにＥＬシート２の逃げ部２ｃ，２ｄが配置された状態で、絶縁性シート１上面にＥＬシート２が積層され、ＥＬシート２の上面に微粘着シート３が積層され、絶縁性シート１の下面に剥離シート４が積層された接点付きシートが作成される。
【００３８】
上述のように構成した本実施形態の接点付きシートの搬送等に際しては、図２に示すように、剥離シート４の下面に保護シート５が接着された状態で搬送等が行われる。
【００３９】
図７は本発明に係る入力装置の一実施形態を示す要部断面図である。
【００４０】
この図７に示すように、本実施形態の入力装置は、中央固定接点１０ａ及び周辺固定接点１０ｂの組み合わせから成る複数の固定接点が形成されたスイッチ基板１０とともに、上述した可動接点６を保持するＥＬシート２、及び接点収容部１ａを有する絶縁性シート１を含む板ばね付きシート、すなわち図１〜６に示した接点付きシート１１を備えている。また、絶縁性シート１の可動接点６のそれぞれと、スイッチ基板１０に設けられる中央固定接点１０ａ及び周辺固定接点１０ｂを含む固定接点のそれぞれを対向させるようにして、これらのスイッチ基板１０と接点付きシート１１とを一体化してある。可動接点６は、周辺固定接点１０ｂに常時導通し、中央固定接点１０ａに選択的に導通するようになっている。これらの可動接点６と、中央固定接点１０ａ及び周辺固定接点１０ｂから成る固定接点とによって、スイッチング部が構成されている。
【００４１】
接点付きシート１１の上方は、ケース１３によって覆われ、このケース１３には、複数の操作部１４が上下動可能に取り付けられている。操作部１４は、この操作部１４の下方部分を形成する押圧部１４ａが、可動接点６に対応して設けられているＥＬシート２の照光部２ａの部分を押圧可能なように、すなわち照光部２ａを介して可動接点６を押圧可能なように配置されている。
【００４２】
このように構成される本実施形態の入力装置では、図７に示す状態にあっては、接点付きシート１１の可動接点６がスイッチ基板１０の中央固定接点１０ａから離れていることから、中央固定接点１０ａと周辺固定接点１０ｂ間が遮断され、スイッチオフとなっている。この状態から操作部１４を下方へ押すと、操作部１４の押圧部１４ａがＥＬシート２を介して可動接点６を押圧し、この可動接点６がタクティールフィーリングを伴って反転して中央固定接点１０ａに導通する。これによって、可動接点６を介して中央固定接点１０ａと周辺固定接点１０ｂとが導通し、スイッチオンとなる。
【００４３】
［接点付きシートの組み込み］
接点付きシート１１をスイッチ基板１０上に組み込む際には、上述した図２に示す微粘着シート３がＥＬシート２から剥離され、絶縁性シート１から保護シート５及び剥離シート４が剥離され、図７に示すように、スイッチ基板１０に形成された位置決め用の貫通孔１０ｃ等と、対応する接点付きシート１１の絶縁性シート１の貫通孔１ｂ等とを適合させるように、スイッチ基板１０上に接点付きシート１１が配置される。この状態において、位置決め部材１２が接点付きシート１１に含まれる絶縁性シート１の貫通孔１ｂ等及びＥＬシート２の逃げ部２ｃ等に挿入され、スイッチ基板１０に対して接点付きシート１１が位置決めされる。このようにして、スイッチ基板１０と接点付きシート１１とが一体化される。
【００４４】
［接点付きシート（板ばね付きシート）の一実施形態の効果］
上述の図１〜６に示すように構成した板ばね付きシート、すなわち接点付きシートの一実施形態によれば、別工程で作成された絶縁性シート１と、他の積層シートを構成するＥＬシート２とを積層した際に互いの間に位置ずれを生じた場合に、絶縁性シート１の貫通孔１ｂ，１ｃは、上述の位置ずれに応じて、これらの貫通孔１ｂ，１ｃよりも大きく形成されたＥＬシート２の対応する逃げ部２ｃ，２ｄ内においてその位置を変化させる。したがって、絶縁性シート１内にＥＬシート２の一部が入り込む事態を防ぐことができる。これにより、これらのシートをスイッチ基板等の電子機器に位置決めする図７に示したような位置決め部材を、絶縁性シート１の貫通穴１ｂ，１ｃ、及びＥＬシート２の逃げ部２ｃ，２ｄに円滑に挿入させることができ、電子機器に取り付ける際の位置決め作業の作業性を向上させることができる。
【００４５】
また、絶縁性シート１の貫通孔１ｂ，１ｃ、及びＥＬシート２の逃げ部２ｃ，２ｄを変形させることなくこれらの貫通孔１ｂ，１ｃ、及び逃げ部２ｃ，２ｄに図７に示したような位置決め部材を挿入させることができるので、位置決め部材を貫通孔１ｂ，１ｃ、及び逃げ部２ｃ，２ｄに挿入する際に、絶縁性シート１、及びＥＬシート２を動かす力を生じさせることがない。これにより、電子機器に対する高い位置決め精度を確保できる。
【００４６】
また、図１，３等に示すように、微粘着シート３及び剥離シート４に、絶縁性シート１とＥＬシート２とを互いに位置決めする位置決め孔３ａ，３ｂ等を設けたことから、絶縁性シート１とＥＬシート２とを積層する際に、位置決め孔３ａ，３ｂ等を介して絶縁性シート１とＥＬシート２とを積層させることができ、これらのシート１，２の積層時の位置ずれを小さくすることができる。これにより、これらの絶縁性シート１とＥＬシート２とを含む本実施形態に係る接点付きシートを、電子機器に位置決めする際の作業性の向上、及び位置決め精度の向上に貢献する。
【００４７】
また、位置決め部材がはじめに挿入される側に絶縁性シート１を配置し、その上にＥＬシート２を積層したことから、図７に示すような位置決め部材が絶縁性シート１の貫通孔１ｂ，１ｃ、及びＥＬシート２の逃げ部２ｃ，２ｄに挿入される際に、ＥＬシート２の逃げ部２ｃ，２ｄよりも小さく形成された絶縁性シート１の貫通孔１ｂ，１ｃによって位置決め部材がガイドされるので、位置決め部材によってＥＬシート２がめくれ上がることがない。これによって、接点付きシートを電子機器に位置決めする際のＥＬシート２の損傷を防止できる。
【００４８】
また、絶縁性シート１に剥離可能に積層される剥離シート４、この剥離シート４に接着される微粘着シート３を備えたことから、絶縁性シート１及びＥＬシート２の外部への露出を防ぎ、円滑な搬送等を実現させることができる。また、電子機器への実装に際しては、保護シート５を剥がし、剥離シート４を剥がし、微粘着シート３を剥がすことにより、絶縁性シート１の粘着部を介してＥＬシート２及び絶縁性シート１を含むこの本実施形態に係る接点付きシート５を、電子機器に簡単に取り付けることができる。
【００４９】
また、剥離シート４と絶縁性シート１とを接着させた状態で、剥離シート４の基準部を介して貫通孔１ｂ，１ｃを形成すれば精度の高い貫通孔１ｂ．１ｃを絶縁性シート１に設けることができるとともに、この剥離シート４を、電子機器に対するこの本実施形態に係る接点付きシートの位置決めのために有効に活用することができる。
【００５０】
また、絶縁性シート１の上面に特定の機能を保持する機能性シート、例えばＥＬシート２を積層したことから、照光機能を確保できる。すなわち、照光機能を付加したいという要望を満足させる接点付きシートを実現させることができる。
【００５１】
なお、上記実施形態では、絶縁性シート１の上面に積層する機能性シートとしてＥＬシート２を設けてあるが、本発明は、このように構成することには限定されない。機能性シートとして文字や数字、あるいは絵や記号などを表示する表示機能とか、電磁波吸収機能を有するシートを設けた構成にしてもよい。
【００５２】
また上記では、ＥＬシート２に保持される板ばねが可動接点６から成っているが、本発明は、板ばねをこのように可動接点６によって構成することには限定されない。例えば板ばねを、メンブレンスイッチを押圧可能なクリック用板ばね等によって構成してもよい。要するに、スイッチ基板１０上に形成されるスイッチ部に板ばねを配置した構成であればよい。
【００５３】
［入力装置の一実施形態の効果］
上述した図７に示すように構成した入力装置の一実施形態によれば、スイッチ基板１０に積層される板ばね付きシート、すなわち接点付きシート１１に含まれるＥＬシート２に、絶縁性シート１に設けられた貫通孔１ｂ，１ｃよりも大きく形成された逃げ部２ｃ，２ｄを設けたことから、接点付きシート１１をスイッチ基板１０に積層する際に、絶縁性シート１と接点付きシート１１との間に加工に伴う位置ずれを生じていたとしても、絶縁性シート１の貫通孔１ｂ，１ｃをＥＬシート２の逃げ部２ｃ，２ｄ内に位置させておくことができる。これによって、位置決め部材１２を絶縁性シート１の貫通孔１ｂ，１ｃ、及びＥＬシート２の逃げ部２ｃ，２ｄに円滑に挿入させることができ、接点付きシート１１をスイッチ基板１０に取り付ける際の位置決め作業の作業性を向上させることができる。
【００５４】
また、絶縁性シート１の貫通孔１ｂ，１ｃ、及びＥＬシート２の逃げ部２ｃ，２ｄを変形させることなくこれらの貫通孔１ｂ．１ｃ、及び逃げ部２ｃ，２ｄに位置決め部材１２を挿入させることができるので、位置決め部材１２を貫通孔１ｂ，１ｃ、及び逃げ部２ｃ，２ｄに挿入する際に、絶縁性シート１及びＥＬシート２を動かす力を生じさせることがない。これにより、接点付きシート１１のスイッチ基板１０に対する高い位置決め精度を確保できる。
【図面の簡単な説明】
【００５５】
【図１】本発明に係る板ばね付きシートの一実施形態を示す平面図である。
【図２】図１のＡ−Ａ断面拡大図である。
【図３】本発明に係る板ばね付きシートの一実施形態を構成する微粘着シートとＥＬシートと絶縁性シートとを積層して一体化させた状態を示す平面図である。
【図４】本発明に係る板ばね付きシートの一実施形態を構成する微粘着シートとＥＬシートと絶縁性シートとを積層して一体化させた状態を示す裏面図である。
【図５】本発明に係る板ばね付きシートの一実施形態を構成する微粘着シートとＥＬシートとを積層して一体化させた状態を示す平面図である。
【図６】本発明に係る板ばね付きシートの一実施形態を構成する絶縁性シートを示す平面図である。
【図７】本発明に係る入力装置の一実施形態を示す要部断面図である。
【符号の説明】
【００５６】
１    絶縁性シート（第１シート）
１ａ  接点収容部（板ばね収容部）
１ｂ  貫通孔
１ｃ  貫通孔
１ｄ  空気溝
２    ＥＬシート（機能性シート）〔他の積層シート〕
２ａ  照光部
２ｂ  入力部
２ｃ  逃げ部
２ｄ  逃げ部
３    微粘着シート（他の積層シート）
３ａ  位置決め孔
３ｂ  位置決め孔
４    剥離シート
４ａ  貫通孔
４ｂ  貫通孔
５    保護シート
６    可動接点（板ばね）
１０    スイッチ基板
１０ａ  中央固定接点
１０ｂ  周辺固定接点
１０ｃ  貫通孔
１１    接点付きシート（板ばね付きシート）
１２    位置決め部材
１３    ケース
１４    操作部
１４ａ  押圧部
【図１】
2007109552.tif 000003
【図２】
2007109552.tif 000004
【図３】
2007109552.tif 000005
【図４】
2007109552.tif 000006
【図５】
2007109552.tif 000007
【図６】
2007109552.tif 000008
【図７】
2007109552.tif 000009